(57)【要約】【課題】有機酸を含む消臭剤が付与されたトイレットペーパーの製造方法を提供する。【解決手段】  原反ロールからトイレットペーパー原紙を繰出して一方面に有機酸を含む消臭剤を付与した後、ガイドロールに接することなくその付与面を積層内面となるようにして一旦巻き取り、その後にその巻き取ったロールから繰出したトイレットペーパー原紙を繰出し直後に他のトイレットペーパー原紙と消臭剤付与面が内面となるように重ね合わせて、複数プライのトイレットペーパーとする。【選択図】図５
2014198093.tif 000002
【特許請求の範囲】
【請求項１】
トイレットロールの複数倍幅以上の幅の長尺の紙管を形成する紙管形成工程と、
一次原反ロールから繰出したトイレットロールの複数倍幅以上の幅のトイレットロール原紙の一方面に消臭剤を付与した後、巻き取って有機酸を含む消臭剤が付与された二次原反ロールを形成する二次原反ロール形成工程と、
複数の二次原反ロールからトイレットロールの複数倍幅以上の幅のトイレットロール原紙を繰出して積層し、トイレットロール複数倍幅以上の幅トイレットペーパーとした後に、これを長尺の紙管に巻いてログを形成する工程と、
ログを切断して個々のトイレットロールにするログ裁断工程と、を有し、
前記二次原反ロール形成工程において、トイレットペーパー原紙に有機酸を含む消臭剤を付与した後、その消臭剤付与面を前記消臭剤により酸化されるガイドロールに接触することなく搬送して、その消臭剤付与面が巻き取り内面となるようにして二次原反ロールを形成し、
前記ログ形成工程において、ワインダーにセットした前記消臭剤が付与された二次原反ロールから繰出したトイレットペーパー原紙を、表面に多数のエンボス付与凸部が配されている金属製のエンボスロールとこのエンボスロールと対をなす表面樹脂製の受けロールとの間に通して、エンボスを付与することとし、そのエンボスを付与する際に、消臭剤付与面がロール面に接するようにして受けロールに巻き掛けて搬送する過程でエンボスロールとの間に通し、エンボスロールと受けロールとの間を通過したエンボスが付与されたトイレットペーパー原紙を、連続的に消臭剤付与面と反対の面をロール面に接するようにエンボスロールに巻き掛替えて搬送し、その後にエンボスロールからトイレットペーパー原紙を離すとともに、その消臭剤付与面を、別のトイレットペーパー原紙と対面させて積層し、消臭剤が付与されたトイレットペーパーする、ことを特徴とするトイレットロールの製造方法。
【請求項２】
前記二次原反ロールから繰出したトイレットペーパー原紙を二つ以上の消臭剤により酸化されるガイドロールに接することなく受けロールに巻き掛ける、請求項１記載のトイレットロール。
【請求項３】
ワインダーにセットした消臭剤が付与された二次原反ロールから繰出したトイレットペーパー原紙を、繰り出し直後にその消臭剤付与面を前記消臭剤により酸化されるガイドロールに接することなく、別のトイレットペーパー原紙と対面させて一時的に積層し、受けロールに巻き掛ける直前において再剥離して、受けロールに巻き掛ける、請求項１又は２記載のトイレットロールの製造方法。
【請求項４】
トイレットロールの複数倍幅以上の幅の長尺の紙管を形成する紙管形成工程と、
一次原反ロールから繰出したトイレットロールの複数倍幅以上の幅のトイレットロール原紙の一方面に消臭剤を付与した後、巻き取って有機酸を含む消臭剤が付与された二次原反ロールを形成する二次原反ロール形成工程と、
複数の二次原反ロールからトイレットロールの複数倍幅以上の幅のトイレットロール原紙を繰出して積層し、トイレットロール複数倍幅以上の幅トイレットペーパーとした後に、これを長尺の紙管に巻いてログを形成する工程と、
ログを切断して個々のトイレットロールにするログ裁断工程と、を有し、
前記二次原反ロール形成工程において、トイレットペーパー原紙に有機酸を含む消臭剤を付与した後、その消臭剤付与面を前記消臭剤により酸化されるガイドロールに接触することなく搬送して、その消臭剤付与面が巻き取り内面となるようにして二次原反ロールを形成し、
前記ログ形成工程において、ワインダーにセットした消臭剤が付与された二次原反ロールから繰出したトイレットペーパー原紙を、繰り出し直後にその消臭剤付与面をガイドロールに接することなく、別のトイレットペーパー原紙と対面させて積層してトイレットペーパーとする、ことを特徴とするトイレットロールの製造方法。
【請求項５】
消臭剤が、有効成分としてポリフェノール及びその誘導体の少なくとも一方を含むポリフェノール系消臭剤であり、その有効成分を０．０００１〜１．０ｇ/ｍ2付与する、請求項１〜４の何れか１項に記載のトイレットロールの製造方法。
【請求項６】
二次原反ロール形成工程において、フレキソ印刷又はグラビア印刷により模様印刷をするとともに、消臭剤を付与する請求項１〜５の何れか１項に記載のトイレットロールの製造方法。
【請求項７】
消臭剤が付与されたトイレットペーパーが紙管に巻かれたトイレットロールであって、
前記トイレットペーパーは、複数のトイレットペーパー原紙が積層されたものであり、  
その積層内面に、ポリフェノール及びその誘導体の少なくとも一方を有効成分として含むポリフェノール系消臭剤が付与され、かつ、その有効成分の付与量が０．０００１〜１．０ｇ/ｍ2である、ことを特徴とするトイレットロール。
【請求項８】
複数のトイレットペーパー原紙が、エンボスが付与されたトイレットペーパー原紙の凸部が積層内面に位置するようにして積層され、かつ、そのエンボスが付与されたトイレットペーパー原紙のエンボス凸部側面に、ポリフェノール系消臭剤が付与されている、ことを特徴とするトイレットロール。
【請求項９】
ポリフェノール系消臭剤が、柿タンニン又はその誘導体を含む請求項７又は８記載のトイレットロール。
【発明の詳細な説明】
【技術分野】
【０００１】
本発明は、帯状のトイレットペーパーが紙管に巻かれたトイレットロール、及びそのトイレットロールの製造方法に関する。
【背景技術】
【０００２】
従来、トイレ空間の消臭を目的としてトイレットロールに消臭剤を付与することが提案されている。例えば、トイレットペーパーの巻終わりを接着するテールシール糊に消臭剤を含ませる方法や、紙管内面に消臭剤を塗布する方法等が提案されている。しかし、前者のものは使用開始と同時に消臭剤付与部分が使用されてしまうため、消臭効果の持続性に問題がある。後者のものは、消臭剤の付与位置が紙管という限られた部位であるため臭気成分との消臭剤との接触機会が十分ではなく、消臭機能のさらなる向上が求められるものであった。
【０００３】
一方、トイレットロールを構成するトイレットペーパーに消臭剤を付与することが考えられる。トイレットペーパーに消臭剤を付与することができれば、臭気成分との接触機会は格段に向上する。しかし、トイレットペーパーは、使用時に直接肌に触れるものであるため、使用時に消臭剤が肌に触れてしまうことを嫌う消費者がいる。
【０００４】
一方、消臭剤の中には、有機酸などアンモニア等のトイレ空間の主たる悪臭成分に対して優れた消臭効果を奏するものがあるが、このような酸はトイレットロールの製造装置内の鉄部材を錆びさせる。トイレットロールの製造装置には、トイレットペーパーの搬送路を構成するために表面平滑な鉄製のガイドロール（ペーパーロールとも称される）が設置されるが、係る有機酸はガイドロールの表面性に影響を与える。そして、ガイドロールの表面が消臭剤により荒らされると、紙粉増加の要因となる。これについては、ガイドロールをステンレスやクロムメッキ性製のものへ変更したり、清掃頻度を高めることによりある程度は防止できることであるが、多くのガイドロール等の部材を交換したり洗浄するのには費用や手間がかかる。また、トイレットロールでは、デザイン性を向上させるために模様印刷を施したり、柔らかさや嵩高さ、さらにデザイン性の向上のためにエンボスが付与されたりすることがよく行なわれるが、このような模様印刷やエンボスを付与するトイレットロールの製造過程では、より搬送路が複雑で多くのガイドロールを要する搬送路となるため、より消臭剤を付与したトイレットロールを製造することが困難となる。
【０００５】
このように、有機酸を有効成分とする消臭剤を十分な消臭効果を発揮する程度にトイレットペーパーに付与してトイレットロールを製造することは非常に困難であった。
【先行技術文献】
【特許文献】
【０００６】
【特許文献１】特開２００９−２４２１０７号公報
【特許文献２】特開２００９−２４２０６５号公報
【特許文献３】特開２００９−２４２０１９号公報
【特許文献４】特開２０１２−２１３５０８号公報
【特許文献５】特開２００９−１７８４５４号公報
【特許文献６】特開２０１２−１７０６５９号公報
【発明の概要】
【発明が解決しようとする課題】
【０００７】
そこで、本発明の主たる課題は、使用時に消臭剤が肌に触れがたく、しかも、製造が容易な、有機酸を含む消臭剤が付与されたトイレットペーパーが巻かれたトイレットロール、及び係るトイレットロールを生産性よく製造することができるトイレットロールの製造方法を提供することにある。
【課題を解決するための手段】
【０００８】
上記課題を解決した本発明は次記のとおりである。
〔請求項１記載の発明〕
トイレットロールの複数倍幅以上の幅の長尺の紙管を形成する紙管形成工程と、
一次原反ロールから繰出したトイレットロールの複数倍幅以上の幅のトイレットロール原紙の一方面に消臭剤を付与した後、巻き取って有機酸を含む消臭剤が付与された二次原反ロールを形成する二次原反ロール形成工程と、
複数の二次原反ロールからトイレットロールの複数倍幅以上の幅のトイレットロール原紙を繰出して積層し、トイレットロール複数倍幅以上の幅トイレットペーパーとした後に、これを長尺の紙管に巻いてログを形成する工程と、
ログを切断して個々のトイレットロールにするログ裁断工程と、を有し、
前記二次原反ロール形成工程において、トイレットペーパー原紙に有機酸を含む消臭剤を付与した後、その消臭剤付与面を前記消臭剤により酸化されるガイドロールに接触することなく搬送して、その消臭剤付与面が巻き取り内面となるようにして二次原反ロールを形成し、
前記ログ形成工程において、ワインダーにセットした前記消臭剤が付与された二次原反ロールから繰出したトイレットペーパー原紙を、表面に多数のエンボス付与凸部が配されている金属製のエンボスロールとこのエンボスロールと対をなす表面樹脂製の受けロールとの間に通して、エンボスを付与することとし、そのエンボスを付与する際に、消臭剤付与面がロール面に接するようにして受けロールに巻き掛けて搬送する過程でエンボスロールとの間に通し、エンボスロールと受けロールとの間を通過したエンボスが付与されたトイレットペーパー原紙を、連続的に消臭剤付与面と反対の面をロール面に接するようにエンボスロールに巻き掛替えて搬送し、その後にエンボスロールからトイレットペーパー原紙を離すとともに、その消臭剤付与面を、別のトイレットペーパー原紙と対面させて積層し、消臭剤が付与されたトイレットペーパーする、ことを特徴とするトイレットロールの製造方法。
【０００９】
〔請求項２記載の発明〕
前記二次原反ロールから繰出したトイレットペーパー原紙を二つ以上の消臭剤により酸化されるガイドロールに接することなく受けロールに巻き掛ける、請求項１記載のトイレットロール。
【００１０】
〔請求項３記載の発明〕
ワインダーにセットした消臭剤が付与された二次原反ロールから繰出したトイレットペーパー原紙を、繰り出し直後にその消臭剤付与面を前記消臭剤により酸化されるガイドロールに接することなく、別のトイレットペーパー原紙と対面させて一時的に積層し、受けロールに巻き掛ける直前において再剥離して、受けロールに巻き掛ける、請求項１又は２記載のトイレットロールの製造方法。
【００１１】
〔請求項４記載の発明〕
トイレットロールの複数倍幅以上の幅の長尺の紙管を形成する紙管形成工程と、
一次原反ロールから繰出したトイレットロールの複数倍幅以上の幅のトイレットロール原紙の一方面に消臭剤を付与した後、巻き取って有機酸を含む消臭剤が付与された二次原反ロールを形成する二次原反ロール形成工程と、
複数の二次原反ロールからトイレットロールの複数倍幅以上の幅のトイレットロール原紙を繰出して積層し、トイレットロール複数倍幅以上の幅トイレットペーパーとした後に、これを長尺の紙管に巻いてログを形成する工程と、
ログを切断して個々のトイレットロールにするログ裁断工程と、を有し、
前記二次原反ロール形成工程において、トイレットペーパー原紙に有機酸を含む消臭剤を付与した後、その消臭剤付与面を前記消臭剤により酸化されるガイドロールに接触することなく搬送して、その消臭剤付与面が巻き取り内面となるようにして二次原反ロールを形成し、
前記ログ形成工程において、ワインダーにセットした消臭剤が付与された二次原反ロールから繰出したトイレットペーパー原紙を、繰り出し直後にその消臭剤付与面をガイドロールに接することなく、別のトイレットペーパー原紙と対面させて積層してトイレットペーパーとする、ことを特徴とするトイレットロールの製造方法。
【００１２】
〔請求項５記載の発明〕
消臭剤が、有効成分としてポリフェノール及びその誘導体の少なくとも一方を含むポリフェノール系消臭剤であり、その有効成分を０．０００１〜１．０ｇ/ｍ2付与する、請求項１〜４の何れか１項に記載のトイレットロールの製造方法。
【００１３】
〔請求項６記載の発明〕
二次原反ロール形成工程において、フレキソ印刷又はグラビア印刷により模様印刷をするとともに、消臭剤を付与する請求項１〜５の何れか１項に記載のトイレットロールの製造方法。
【００１４】
〔請求項７記載の発明〕
消臭剤が付与されたトイレットペーパーが紙管に巻かれたトイレットロールであって、
前記トイレットペーパーは、複数のトイレットペーパー原紙が積層されたものであり、
その積層内面に、ポリフェノール及びその誘導体の少なくとも一方を有効成分として含むポリフェノール系消臭剤が付与され、かつ、その有効成分の付与量が０．０００１〜１．０ｇ/ｍ2である、ことを特徴とするトイレットロール。
【００１５】
〔請求項８記載の発明〕
複数のトイレットペーパー原紙が、エンボスが付与されたトイレットペーパー原紙の凸部が積層内面に位置するようにして積層され、かつ、そのエンボスが付与されたトイレットペーパー原紙のエンボス凸部側面に、ポリフェノール系消臭剤が付与されている、ことを特徴とするトイレットロール。
【００１６】
〔請求項９記載の発明〕
ポリフェノール系消臭剤が、柿タンニン又はその誘導体を含む請求項７又は８記載のトイレットロール。
【発明の効果】
【００１７】
以上の本発明によれば、製造が容易な消臭剤が付与されたトイレットペーパーが巻かれたトイレットロール、及び係るトイレットロールを生産性よく製造することができるトイレットロールの製造方法を提供することにある。
【図面の簡単な説明】
【００１８】
【図１】本発明の実施形態のトイレットロールの製造方法を説明するための図である。
【図２】本発明の実施形態に係る紙管の形成過程を説明するための図である。
【図３】本発明の実施形態に係る二次原反ロールの形成過程を説明するための図である。
【図４】本発明の実施形態に係る二次原反ロールの別の形成過程を説明するための図である。
【図５】本発明の実施形態に係るトイレットペーパーの形成過程を説明するための図である。
【図６】本発明の実施形態に係るトイレットペーパーの形成過程を説明するための断面図である。
【図７】本発明の本実施形態に係るトイレットロールの斜視図である。
【図８】本発明の本実施形態に係るトイレットペーパーの断面図である。
【発明を実施するための形態】
【００１９】
本発明の実施形態を図１〜８を参照しながら以下に説明する。但し、本発明は、この実施形態に限られない。
【００２０】
［トイレットロールの製造方法］
本発明の実施形態に係るトイレットロールの製造方法例を特に図１〜図６を参照しながら説明する。但し、本発明のトイレットロール及びトイレットペーパーの製造方法は、この方法に必ずしも限定されるわけではない。
本実施形態のトイレットロールの製造方法は、図１に示す、長尺の紙管３０を製造する紙管形成工程（Ａ）と、その長尺の紙管にトイレットペーパーを巻いてログを製造するログ形成工程（Ｂ）と、ログを裁断して個々のトイレットロールにするログ裁断工程（Ｃ）と、図３及び図４に例示される前記ログ形成工程においてトイレットペーパーを形成するための二次原反ロールの形成工程とを有している。
【００２１】
（紙管形成工程（Ａ））
本実施形態の紙管形成工程は、図１中（Ａ）、図２に示すように、原反ロール３１Ａ，３２Ａから繰出された二枚の帯状の紙管原紙３１，３２のうち一方の紙管原紙３１の一方面に糊付けロール５１によって接着糊４４を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分３を形成し、その筒状部分３をトイレットロールの複数倍幅以上の幅でカッター５８によりカットして長尺のスパイラル紙管３０（スパイラル式紙管とも称される）を形成している。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、３枚以上の紙管原紙をスパイラル巻きして長尺の紙管を形成してもよい。また、本発明では、スパイラル紙管ではなく平巻き紙管とすることもできる。
【００２２】
紙管原紙３１に対する接着糊４４の付与量は特に限定されないが、塗布直後で８．０〜８０ｇ／ｍ2程度である。また、接着糊４４は、既知の紙管用のものを用いることができ、アクリル系接着剤、ホットメルト接着剤、澱粉糊、ＰＶＡ（ポリビニルアルコール）等が例示できる。
【００２３】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分３に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分３に回転力を与えているが、一機の一対のプーリーと平ベルトにより筒状部分に回転力を与えるようにしてもよい。また、図示しないが、筒状部分３に平ベルト５４ではなくロールを当接させて回転力を与えるようにしても、各紙管原紙３１，３２をマンドレルシャフト５２に巻き付けることができる。
【００２４】
このようにして長尺紙管３０を形成した後には、この長尺紙管３０をコンベア５５に供給して適宜の搬送経路で連続的又は断続的に次段のログ形成工程（Ｂ）におけるワインダーＸ２に供給していく。
【００２５】
（二次原反ロール形成工程）
本実施形態の二次原反ロール形成工程は、図３及び図４に示すように、一次原反ロール６０から繰出したトイレットロールの複数倍幅以上の幅のトイレットロール原紙６１の一方面に塗布装置６５Ａによって消臭剤を付与した後、巻き取り装置６６で巻き取って有機酸を含む消臭剤が付与された二次原反ロール７０とする。
【００２６】
一次原反ロール６０は、例えば、抄紙原料を抄紙設備で抄紙したトイレットペーパー原紙を巻き取ったロールや、抄紙設備で巻き取ったロールからトイレットペーパー原紙を一旦、繰出して適宜の幅にスリットした後、再巻き取りして形成されるロール、さらには抄紙原料を抄紙設備で抄紙したトイレットペーパー原紙を巻き取った複数のロールやこれをスリットして巻き取った複数のロールから、トイレットペーパー原紙を繰出して積層のトイレットペーパー原紙として再度巻き取ったロールなどである。これらの一次原反ロールの製造方法は公知の方法による。一次原反ロールとは、要するに消臭剤が付与される前のトイレットペーパー原紙が巻かれてロール状とされたものである。
【００２７】
本実施形態では、特にこの一次原反ロール６０から繰出したトイレットペーパー原紙に有機酸を含む消臭剤を付与した後、その消臭剤付与面６１Ａを前記消臭剤により酸化されるガイドロール６，６…に接触することなく搬送して、その消臭剤付与面が巻き取り内面となるようにして二次原反ロール７０に巻き取る。このように搬送する具体的な搬送経路は、特に限定されないが、例えば、図３、４に示すように搬送経路を構築すれば、一次原反ロール６０から繰出したトイレットペーパー原紙６１に消臭剤を付与した後、その消臭剤付与面をガイドロール６，６…に接触することなく搬送して、その消臭剤付与面６１Ａが巻き取り内面となるようにして巻き取って二次原反ロール７０にすることができる。
【００２８】
なお、本発明にいうガイドロール６，６…とは、トイレットペーパーの製造過程で、連続する帯状のトイレットペーパー原紙又はトイレットペーパーを流れ方向に搬送する搬送経路に、その流れ方向と非平行に配されてトイレットペーパー原紙等の紙面に接触して搬送を補助するための鉄製のロール全般を意味し、例えば、テンションロールなどとも称される、トイレットペーパー原紙等の皺を伸ばしたり、搬送時のトイレットペーパー原紙等のテンションをコントロールするために配されるものも含む。
【００２９】
他方、本実施形態において、トイレットペーパー原紙６１に対して消臭剤を付与する消臭剤付与装置６５Ａとしては、公知のロール転写式の塗工機や印刷機、スプレー塗布装置を用いることができる。図３は、ロール転写式の消臭剤塗布装置を用いて消臭剤を付与する例を示しており、図４は、スプレー塗布装置を用いて消臭剤を付与する例を示している。消臭剤を付与する装置は、フレキソ印刷装置、グラビア印刷装置、二流体方式のスプレー塗布装置、ローターダンプニング噴霧方式のスプレー塗布装置が望ましい。特に、好ましいのは、フレキソ印刷装置である。フレキソ印刷装置は、印圧の調整がしやすく、トイレットペーパー原紙特有の表面のクレープがあってもムラのない塗布が可能で、トイレットペーパー原紙にシワが入り難くなる。また、一つのロールで幅広い薬液の粘度に対応でき、管理、設備メンテナンスの点で利点がある。
【００３０】
また、本実施形態では、好ましく、その消臭剤を付与する際に、トイレットペーパー原紙に模様印刷を行なっている。図３の形態では、一つの圧胴６５Ｃに対して複数の刷版ロール６５Ｂ，６５ａが配された多色刷り印刷装置６５を用いて、消臭剤付与装置６５Ａに係る刷版ロール６５ａによる消臭剤の付与と同時に、刷版ロール６５Ｂによって模様印刷を行い、消臭剤付与面と同一面に模様印刷を行なっている。図４の例では、ロール転写式の印刷機６５の圧胴ロール６５Ｄの近傍に消臭剤付与装置であるスプレー塗布装置６５Ａを設けて、圧胴６５Ｃから離れた直後のトイレットペーパー原紙に対してその印刷面と反対の面に消臭剤を付与するようにしている。本実施形態では、このように消臭剤の付与と模様印刷を同一設備或いは近接に位置させてほぼ同時に付与することができ、模様印刷によりトイレットペーパーの意匠性を向上させることが容易に行える。また、その印刷面と消臭剤付与面を適宜に設計することができる。なお、印刷装置により消臭剤を付与する場合には、消臭剤を着色インクに混合して付与してもよい。特に、図３に示すような多色刷り印刷装置を用いる場合には、模様を形成するための一部の色の着色インキ中に消臭剤を混合して付与するようにしてもよいし、全ての色の着色インキ中に消臭剤を混合するようにしてもよい。
【００３１】
一方、本実施形態において消臭剤を付与するにあたっては、消臭剤を適宜の溶媒等と混合して、付与に適した液体状やスラリー状の消臭剤液として付与することができる。消臭剤液中の、消臭剤の含有量は、有効成分を固形成分として０．５〜３０重量％であるのが望ましい。この範囲であれば、フレキソ印刷装置やスプレー塗布装置で、トイレットペーパー原紙７１Ａ，７１Ｂに消臭剤を問題なく付与することができる。また、係る固形成分量とすることで、過度に紙面から浸透してトイレットペーパー原紙の反対面に浸透することが防止される。
【００３２】
ここで、本発明に係る消臭剤は、有機酸を含むものであるが、特に、その有機酸が、ポリフェノール又はポリフェノールの誘導体であり、これを有効成分とするポリフェノール系消臭剤であるのが望ましい。消臭剤のトイレットペーパー原紙６１Ａへの付与量は、消臭剤の種類により適宜変更することができるが、上記ポリフェノール系消臭剤であれば、有効成分の固形分量で０．０００１〜１ｇ／ｍ2であり、好ましくは０．００３〜０．５ｇ／ｍ2である。
【００３３】
ポリフェノール系消臭剤は、茶  柿、ブドウ等の植物及び植物の加工品から抽出されるポリフェノール、及びそのポリフェノールの誘導体を有効成分とするものであり、フェノール系水酸基による反応性により、悪臭成分の一つであるアンモニアに対して高い消臭機能を有するものの、鉄を酸化させるものであるため、本発明に係るトイレットロールの製造方法に使用するに特に適する。
【００３４】
ポリフェノール系消臭剤のなかには、アンモニアに加えて、硫化水素、メチルメルカプタン、トリメチルアミンに対して反応性を有して消臭機能を有するものも存在するが、もちろん本発明に用いるポリフェノール系消臭剤はそのようなものであってもよい。なお、ポリフェノール系消臭剤は、ポリフェノール、ポリフェノール誘導体の何れか一方を含むものに限定されるわけではなく、双方が含まれていてもよい。また、数種のポリフェノール、ポリフェノール誘導体を含むものでもよい。また、ポリフェノール系消臭剤のなかでも、特にタンニン及びその誘導体の少なくとも一方を有効成分として含むものが望ましい。タンニン及びタンニン誘導体は、分子量が大きくフェノール系水酸基を多く有するため消臭機能に優れるが、タンニン酸によって鉄を酸化させやすいため、本発明に用いるポリフェノール系消臭剤としては特に望ましいものである。また、タンニンのなかでも、柿由来の柿タンニンは、分子量が非常に大きく、消臭効果に極めて優れるため、ポリフェノール系消臭剤としては、この柿タンニン及び柿タンニン誘導体の少なくとも一方を含むようにするのがよい。柿タンニン及び柿タンニン誘導体の場合の好適な付与量は、固形分量で０．０００１〜１ｇ／ｍ2、好ましくは０．００３〜０．５ｇ／ｍ2である。特に柿タンニン及び柿タンニン誘導体は、濃度が高まると特有の茶褐色の色が顕著となるため、１ｇ／ｍ2を超えて付与するとトイレットペーパー原紙が茶褐色に染色して、清潔感を低下させるおそれがある。
【００３５】
他方、本実施形態では、トイレットペーパー原紙６１を巻き取る巻き取り装置６６は公知のものを用いることができる。但し、本発明では、トイレットペーパー原紙６１を巻き取って二次原反ロール７０を形成するにあたっては、図３、４に示されるように、その消臭剤付与面６１Ａが巻き取り内面となるようにして巻き取る。このようにして巻き取ることで、二次原反ロール７０の外周面に消臭剤付与面６１Ａが露出されないため、二次原反ロール７０を巻き取り装置６６から排出する際や、次段のログ形成工程に移送する際に、消臭剤が設備や移送機器に触れることがなく、係る設備や移送機器の鉄製部材を消臭剤により酸化することがない。
【００３６】
（ログ形成工程（Ｂ））
本実施形態では、上記の長尺の紙管３０の製造、二次原反ロール７０の製造と平行して又はその後において、ログ形成工程（図１中（Ｂ）でワインダーＸ２によりログ７５を製造する。なお、ログ７５とは、最終製品であるトイレットロールの直径と同径でありかつ幅が最終製品の複数倍幅以上ある中間製品である。ログ７５の形成は、紙管形成工程（Ａ）で製造した長尺の紙管３０をワインダーＸ２の巻き取り部８５にセットし、これと実質的に同幅又はそれよりも若干幅狭のトイレットペーパー７を巻き付けるようにして行なう。
【００３７】
本実施形態では、長尺紙管３０に巻き付けるトイレットペーパー７を、ワインダーＸ２において、複数のトイレットペーパー原紙７１Ａ，７１Ｂを積層して、連続的に形成していく。特に本実施形態では、エンボスが付与されたトイレットペーパー７、特に、エンボスの凸部が積層される他のトイレットペーパー原紙に対面するようにして配置されている、所謂ダブルエンボスとも称される態様でエンボスが付与されたトイレットペーパー７を形成してく。
【００３８】
本実施形態では、図５に示すように、まず、二次原反ロール形成工程で製造した二つの二次原反ロール７０Ａ，７０Ｂを、上下方向の最下点からトイレットペーパー原紙を水平に引き出した際に、その方向が異なる方向となるようにして、対面配置する。この時、二次原反ロール７０Ａ，７０Ｂは、上述のとおり外周面は消臭剤非付与面となっている。そして、各原反ロールか７０Ａ，７０Ｂらトイレットペーパー原紙７１Ａ，７１Ｂを繰出し、その直後に各トイレットペーパー原紙７１Ａ，７１Ｂの消臭剤非付与面にテンションロール８ａを接するように配置して、繰り出し時にテンションを調整するとともに、そのテンションロールの後段の重ね合わせガイドロール８ｂで各トイレットペーパー原紙７１Ａ，７１Ｂの消臭剤付与面６１Ａが対面するようにして一次的に積層して、下流に搬送して、エンボスを付与するためのエンボス付与装置２０Ａ，２０Ｂに導く。このように、二次原反ロール７０Ａ，７０Ｂから繰出した一方面に消臭剤が付与されたトイレットペーパー原紙７１Ａ，７１Ｂを消臭剤付与面６１Ａが対面するようにして一次的に積層することにより、消臭剤付与面６１Ａが積層内面となり、その状態で搬送される限り、ガイドロールをシートの表裏どちらの面に接するように配しても、消臭剤付与面６１Ａがガイドロールに接することがなくなる。
【００３９】
なお、図示の形態では、二次原反ロール７０Ａ，７０Ａの上下方向の最下点からトイレットペーパー原紙７１Ａ，７１Ｂを繰出しているが必ずしもこのように繰出する必要はない。また、重ね合わせガイドロール８ｂまでのガイドロール構成は、図示の形態に限定されない。但し、重ね合わせガイドロール８ｂに至るまでの経路に鉄製のガイドロールは配置しないのが望ましい。
【００４０】
消臭剤付与面６１Ａが積層内面となるようにした状態のトイレットペーパー原紙７１Ａ，７１Ｂは、エンボス付与装置２０Ａ，２０Ｂの直前で再剥離して、各トイレットペーパー原紙７１Ａ，７１Ｂをそれぞれ別途に、表面のエンボス形状に対応する多数のエンボス付与凸部が形成されたエンボスロール２１Ａ，２１Ｂと、このエンボスロール２１Ａ，２１Ｂを受ける受けロール２２Ａ，２２Ｂとで構成されるエンボス付与装置２０Ａ，２０Ｂに導いて、それらエンボスロール２１Ａ，２１Ｂと受けロール２２Ａ，２２Ｂとの間にトイレットペーパー原紙７１Ａ，７１Ｂを通して、各々のトイレットペーパー原紙７１Ａ，７１Ｂに別途にエンボスを付与する。
【００４１】
トイレットペーパー原紙を再剥離するにあたっては、図５に示すとおり、エンボス付与装置に直前のガイドロール８ｃから各トイレットペーパー原紙７１Ａ，７１Ｂを分離させて、各々エンボス付与装置２０Ａ，２０Ｂを構成するロールに導くようにすればよい。但し、各エンボス付与装置２０Ａ，２０Ｂへ導くためにトイレットペーパー原紙の消臭剤付与面６１Ａに接するガイドロール８ｄが必要ならばそのように配して搬送路８ｘを構成してもよい。もちろん、このガイドロール８ｄを消臭剤により酸化されない素材とすることができる。
【００４２】
分離されたトイレットペーパー原紙７１Ａ，７１Ｂをそれぞれ別途にエンボス付与装置に供給するにあたっては、特に図５に示すように、トイレットペーパー原紙７１Ａ，７１Ｂを、その消臭剤付与面６１Ａが表面弾性の受けロール２２Ａ，２２Ｂの表面に対面するようにして巻き掛けるようにする。そして、その受けロール２２Ａ、２２Ｂ上を搬送する過程でエンボスロール２１Ａ，２１Ｂとの間に通してエンボスを付与するようにし、そのエンボス付与後からトイレットペーパー原紙７１Ａ，７１Ｂがエンボスロール２１Ａ，２１Ｂに巻き掛けられた状態で下流へ搬送するようにする。このようにすると、金属製のエンボスロール２１Ａ，２１Ｂに消臭剤付与面を接触させることなくエンボスを付与することができる。
【００４３】
また、本実施形態では、好ましく、トイレットペーパー原紙７１Ａがエンボスロール２１Ａ上を搬送されている際に、このエンボスロール２１Ａのエンボス付与凸部の頂部のみに接するように配置した転写ロールを有するロール転写設備２５Ａによってトイレットペーパー原紙７１Ａの表面にラミネート糊を付与している。トイレットペーパー原紙７１Ａは、エンボス付与時における押圧によってエンボスロール２１Ａの表面凹凸形状に応じた形状に変形された状態でエンボスロール表面に配されているため、このようにするとトイレットペーパー原紙７１Ａのエンボス凸部頂部の位置のみにラミネート糊２９が付与される。ラミネート糊は、公知のものが利用でき、例えば、ポリビニルアルコール、カルボキシメチルセルロール、澱粉などが例示できる。
【００４４】
このようにしてエンボスが付与されたトイレットペーパー原紙７１Ａ，７１Ｂは、前記エンボスロール２１Ａ，２１Ｂから離すとともに、図６にも示すように、その消臭剤が付与された面を、他の原反ロール７０Ａ（７０Ｂ）から繰り出され他のエンボス付与装置２０Ａ（２０Ｂ）で消臭剤を付与したトイレットペーパー原紙７１Ａ（７１Ｂ）に、消臭剤付与面を対面させて積層し、積層内面に消臭剤が付与されたトイレットペーパー７とする。特に本実施形態では、一方のトイレットペーパー原紙７１Ａのエンボス凸部頂部にラミネート糊２９が付与されているため、各トイレットペーパー原紙７１Ａ，７１Ｂがそのラミネート糊２９により接着された態様で積層一体化されトイレットペーパーとされる。
【００４５】
なお、図示の形態では、一方のエンボスロール２１Ｂから離れたトイレットペーパー原紙７１Ｂを他方のエンボスロール２１Ａに隣接して配されたマリッジロール２３に導いて、そのマリッジロール２３上で積層一体化するようにしている。但し、この図示の形態に限らず、エンボスロール２１Ａ，２１Ｂ同士をその周面が対面するように近接配置し、各エンボスロール２１Ａ，２１Ｂの周面が対面する位置において各トイレットペーパー原紙７１Ａ，７１Ｂの消臭剤塗布面が付き合わせられて積層一体化されるようにしてもよい。
【００４６】
積層一体化の態様については、特に、図６（ｂ）に示すように、各トイレットペーパー原紙７１Ａ，７１Ｂのエンボス凸部の頂部２６Ａ，２６Ｂ同士が対面一致するようにして、所謂「Ｔｉｐ  Ｔｏ  Ｔｉｐ」の形態で積層するようにしてもよいし、図には示さないが、エンボス凸部の頂部同士が対面一致していない所謂「Ｎｅｓｔｅｄ」の形態で積層してもよい。これらは、エンボスのパターンを「Ｔｉｐ  Ｔｏ  Ｔｉｐ」用、「Ｎｅｓｔｅｄ」用として選択して実施することができる。なお、図６中において消臭剤付与位置は符号２７Ａ，２７Ｂで示されている。
【００４７】
ここで、図示の形態は、２つの原反ロール７０Ａ、７０Ｂからそれぞれ一枚のトイレットペーパー原紙７１Ａ、７１Ｂを繰り出し、積層して２プライ構造のトイレットペーパー７を形成する過程を示しているが、本発明に係るトイレットペーパー原紙は、一枚に限られるものではない。例えば、二次原反ロール形成工程の欄でも述べたように、二次原反ロールを形成するための一次原反ロール６０が、予め積層されたシートを巻き取ったものであれば、二次原反ロール７０は、複数枚重ねられたトイレットペーパー原紙が巻かれたものとなる。本発明ではそのようなトイレットペーパー原紙を二次原反ロールから繰出すようにしてもよい。また、図示はしないが、３プライ以上の原反ロールから３プライ以上のトイレットペーパー原紙を繰出して、消臭剤付与面が外面とならないように一次的に積層するようにしてもよい。このように、本発明のトイレットペーパー７は、２プライに限定されず、３プライ以上とすることができる。さらには、複数プライ構造とする場合には、各プライの米坪や物性等は同じである必要もない。また、ワインダーにセットする複数の二次原反ロールのうちいくつかを消臭剤が付与されていないものとすることもできる。この場合には、消臭剤が付与されたトイレットペーパー原紙と、消臭剤が付与されていないトイレットペーパー原紙が積層一体化されたトイレットペーパーとなる。
【００４８】
また、本実施形態では、各原反ロール７０Ａ，７０Ｂから各トイレットペーパー原紙７１Ａ，７１Ｂを繰出した後に重ね合わせガイドロール８ｂで一度積層した後、エンボス付与装置２０Ａ，２０Ｂの直前で再剥離するように構成されているが、本発明では、このように搬送路を構成せずに、原反ロール７０Ａ，７０Ｂから各トイレットペーパー原紙７１Ａ，７１Ｂを一時的に積層することなく各エンボス付与装置２０Ａ，２０Ｂに別途に導いて、表面弾性の受けロール２２Ａ，２２Ｂに巻き掛けるようにしてもよい。
【００４９】
さらに、本実施形態では、各原反ロール７０Ａ，７０Ａから繰出されたトイレットペーパー原紙７１Ａ，７１Ｂのそれぞれにエンボスの付与を行なっているが、エンボス付与装置を一機のみとして、一方のトイレットペーパー原紙のみにエンボスを付与するようにしてもよい。
【００５０】
また、本発明では、各原反ロール７０Ａ，７０Ｂから各トイレットペーパー原紙７１Ａ，７１Ｂを繰出した後に重ね合わせガイドロール８ｂで一度積層した後、エンボスを付与することなくそのままトイレットペーパー７としてもよい。この場合には、エンボスが付与されていないトイレットペーパーとなる。さらに、本発明では、各原反ロール７０Ａ，７０Ｂから各トイレットペーパー原紙７１Ａ，７１Ｂを繰出して重ね合わせガイドロール８ｂで一度積層した後、その重ね合わせたままの状態で一機のエンボス付与装置によりエンボスを付与して、一方面にエンボス凸部、その反対面にその凸部に対応する凹部が形成される所謂シングルエンボスの態様のトイレットペーパー７としてもよい。
【００５１】
ここで、本発明に係るトイレットペーパー７は、１プライ当り米坪が１１．０〜２５．０ｇ／ｍ2とするのが望ましい。この範囲であれば使用時の柔らかさや吸水性を確保できる。また、本発明に係るトイレットペーパー７は、パルプ繊維を９０％以上含むものであり、好ましくは９８％以上、より好ましくは１００％である。パルプ繊維としては、ＬＢＫＰ（広葉樹クラフトパルプ）、ＮＢＫＰ（針葉樹クラフトパルプ）が最も好ましく、特にＬＢＫＰとＮＢＫＰとから構成され、ＬＢＫＰの配合割合が５０％以上、好適には７０％以上であるのがよい。
【００５２】
他方、本実施形態のうちエンボスを付与する例においては、その具体的なエンボス柄、エンボス深さ、エンボス密度、エンボスを構成する個々の単位エンボスの形状、エンボス付与面積は限定されるものではない。消臭剤の効力、消臭剤液の性状、その付与量、エンボスによるデザイン性、嵩高性、柔らかさの向上性を考慮して、適宜定めることができる。好ましい例を示せば、紙面全体に、エンボス密度３０〜１００個／ｃｍ2、エンボス深さ０．２〜２．０ｍｍで付与された所謂マイクロエンボスの形態、エンボス密度で０．１〜２５個／ｃｍ2、エンボス深さ０．３〜２．５ｍｍで図柄を描くように付与されたマクロエンボス或いはデザインエンボスとも称されるエンボス形態である。なかでもマクロエンボス或いはデザインエンボスとも称されるエンボスは、頂部が広くラミネート糊を適量容易に付与でき、デザイン性の向上の効果も得られることから特に望ましい。
【００５３】
以上のようにトイレットペーパー原紙７１Ａ，７１Ｂを積層してトイレットペーパー７を形成した後には、本実施形態では、ミシン目線形成装置８２にてミシン目線の形成を行ない、その後に、巻き取り部８５において長尺紙管３０に巻き付けて２プライのログを形成する。但し、本発明では必ずしもミシン目線形成装置及びミシン目線の付与は必須ではない。また、本実施形態において、図示はしないが、ミシン目線付与装置８２の前段に既知のコンタクトエンボス付与装置を設けてコンタクトエンボスを付与してもよい。
【００５４】
本実施形態に係るトイレットペーパー７の形成は、ワインダーＸ２におけるログ製造工程の一連の流れのなかで、そのワインダー中に設置された金属製のエンボスロールや、ガイドロールに消臭剤付与面を接触させることなく、消臭剤付与面が積層内面とされたトイレットペーパーを連続的に形成するため、トイレットロールの生産性を低下させることがない。また、原反ロールからエンボスを付与してトイレットペーパーとするまで、また、それ以降において、設備の金属部材を酸化・腐食・変色させたり、傷めたりするおそれがない。もちろん、消臭剤が付着することによる機材の洗浄の手間も低減される。
【００５５】
＜ログ裁断工程（Ｃ）＞
以上のように、積層内面に消臭剤が付与されたトイレットペーパー７が長尺紙管３０に巻かれたログ７５を製造したならば、図１に示すように、このログ７５を既知のログアキュームレーターＸ３で複数本をストックしつつ後段のログカッター設備Ｘ４へと移動させる。そして、その後に特に図１中（Ｃ）に示すように、既知のログカッター９１でログ７５を製品幅に裁断し、図７に示すような、個々のトイレットロール１０，１０…とする。本実施形態に係るログ７５は、その表面に消臭剤が露出されていないため、ログ形成後以降の工程においても消臭剤が製造設備を傷めるおそれがない。
【００５６】
かくして形成されたトイレットロール１０は、上記ログ形成工程の欄で説明した種々の利点の他に、トイレットロールからトイレットペーパーを引き出して使用する際においても、使用時に消臭剤が肌に触れ難い。そして、トイレットロール１０とした際には、トイレットペーパーを使用する毎に、トイレットロールの周面に新しいトイレットペーパーが露出されることになるため、その毎に新たな消臭剤も周面に位置されるようになるため消臭効果の持続性に優れるものとなる。
【００５７】
［トイレットロール］
次いで、本発明に係るトイレットロールの実施形態を図７及び図８を参照しながら説明する。本実施形態に係るトイレットロール１０は、長尺のトイレットペーパー１２が紙管１１に巻かれたものであり、そのトイレットペーパー１２に消臭剤が付与されてものである。本実施形態に係るトイレットロール１０は、上記トイレットロールの製造方法の欄で説明した製造方法により製造することができる。
【００５８】
本実施形態に係るトイレットロール１０は、その大きさ等が、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパー１２の長さも十分である。
【００５９】
本発明に係るトイレットペーパー１２は、紙厚が、１００〜３５０μｍ、１プライ当り米坪が１１．０〜２５．０ｇ／ｍ2であるのが望ましい。この範囲であれば使用時の柔らかさや吸水性を確保できる。なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、紙厚は、複数プライのものは、その複数プライのまま測定する。
【００６０】
また、本実施形態に係るトイレットペーパー１２は、パルプ繊維を９０％以上含むものであり、好ましくは９８％以上、より好ましくは１００％である。パルプ繊維としては、ＬＢＫＰ（広葉樹クラフトパルプ）、ＮＢＫＰ（針葉樹クラフトパルプ）が最も好ましく、特にＬＢＫＰとＮＢＫＰとから構成され、ＬＢＫＰの配合割合が５０％以上、好適には７０％以上であるのがよい。
【００６１】
ここで、本実施形態のトイレットペーパー１２は、特徴的に、複数のトイレットペーパー原紙１３が積層されたプライ構造を有しており、その積層内面１３Ａにポリフェノール系消臭剤が付与されている（図中、ポリフェノール系消臭剤の付与位置を符号１５で示す）。消臭剤付与位置１５が積層内面１３Ａに位置していることで、使用時に消臭剤が肌に触れがたくなる。
【００６２】
また、この本実施形態に係るトイレットロール１０では、トイレットペーパー１２に消臭剤が付与されていることから、トイレットロール１０の露出する部分の広範な範囲を占める周面１２Ａに消臭剤が位置されているため、紙管１１などの狭い範囲にのみに消臭剤が付与されているものと比較してトイレ空間内の悪臭成分との接触機会が多くなり、消臭効果に優れる。但し、本発明に係るトイレットロール１０は、紙管に消臭剤が付与されていることを否定しない。
【００６３】
さらに、このトイレットロール１０は、トイレットペーパー１２を使用する毎に、トイレットロールの周面１２Ａに新しいトイレットペーパー１２が露出されることになるため、その毎に新たな消臭剤も周面に位置されるようになるため消臭効果の持続性も優れる。
【００６４】
ここで、ポリフェノール系消臭剤の例は、上記トイレットロールの製造方法で示したとおりである。本実施形態に係るトイレットロールにおいても好ましいポリフェノール系消臭剤は、柿タンニン又はその誘導体を含むものである。
【００６５】
消臭剤の付与量は、有効性分（固形成分）で０．０００１〜１．０ｇ／ｍ2とする。より好ましくは、好ましくは０．００３〜０．５ｇ／ｍ2である。０．０００１ｇ／ｍ2未満であると十分な消臭効果が得られない。また、１．０ｇ／ｍ2を超えて付与しても消臭効果の向上が期待できず、却ってコストが高くなる。
【００６６】
また、特に柿タンニン又はその誘導体が付与されている場合においては、その柿タンニン又はその誘導体の付与量が０．０００１〜１．０ｇ／ｍ2であるのが望ましい。より望ましくは、好ましくは０．００３〜０．５ｇ／ｍ2である。柿タンニン又はその誘導体が、０．０００１〜１．０ｇ／ｍ2の範囲で付与されていると高い消臭効果が確実に得られる。また、柿タンニン又はその誘導体を付与したものである場合には、１．０ｇ／ｍ2を超えると柿タンニンに由来する茶褐色の色が顕著になり、衛生的な印象が低下する。
【００６７】
他方、本発明に係るトイレットロール１０では、エンボス１４が付与されているのが望ましい。エンボス１４の付与態様としては、図８に示すように、一方のトイレットペーパー原紙１３のエンボス凸部１４Ａが他方のトイレットペーパー原紙に対面するようにして配置されている所謂ダブルエンボスの形態、図示はしないが、トイレットペーパー１２の一方面にエンボス凸部のみが存在し、他方の面にそのエンボス凸部に対応する凹部のみが形成されている、所謂シングルエンボスの形態のいずれであってもよい。エンボス１４が付与されていることにより嵩高となるとともに、紙面の面積が増加して消臭剤と外気との接触機会がより増加する。特に、図８に示される、プライを構成するトイレットペーパー原紙１３のうちエンボスが付与されているものが、そのエンボス凸部頂部１４Ａが積層内面側に位置するようにして積層されているダブルエンボスが望ましい。このエンボス態様では、エンボスによって各プライ間に空隙ができるため、通気性に優れ、より消臭剤と外気とが接触しやすくなり、高い消臭効果が得られる。
【００６８】
また、上記ダブルエンボスの場合には、図示例の如く、エンボス凸部頂部１４Ａにラミネート糊１６が配され、これによってトイレットペーパー原紙同士が接着されているのが望ましい。このようにするとプライ剥離が好適に防止される。
【００６９】
以上の本実施形態のトイレットロール１０は、上記のトイレットロール及びトイレットペーパーの製造方法の欄で説明した製造方法により製造することができるため、上記説明の製造上の利点をも有する。
【符号の説明】
【００７０】
３１Ａ，３２Ａ…原反ロール、３１，３２…長尺の紙管原紙、５１…糊付けロール、４４…接着糊、５２…マンドレルシャフト、５８…カッター、５３…プーリー、５４…平ベルト、３…筒状部分、５５…コンベア、Ｘ２…ワインダー、６０…一次原反ロール、６１…トイレットペーパー原紙、６１Ａ…消臭剤付与面、６５Ａ…消臭剤塗布装置、６５Ｂ…フレキソ版、６５Ｃ…圧胴、６６…巻き取り装置、７０…二次原反ロール、６…ガイドロール、７５…ログ、７０Ａ，７０Ｂ…トイレットペーパー原紙、７…トイレットペーパー、７１Ａ，７１Ｂ…トイレットペーパー原紙、８ａ…テンションロール、８ｂ…重ね合わせガイドロール、８ｃ…エンボスロール直前のガイドロール、２０Ａ，２０Ｂ…エンボス付与装置、２１Ａ，２１Ｂ…エンボスロール、２２Ａ，２２Ｂ…受けロール、２５Ａ…ロール転写設備、２９…ラミネート糊、２７Ａ，２７Ｂ…消臭剤付与位置、２３…マリッジロール、８２…ミシン目線形成装置、８５…巻き取り部、９１…ログカッター、１０…トイレットロール、１１…紙管、１２…トイレットペーパー、１３…トイレットペーパー原紙、１３Ａ…トイレットペーパー原紙の積層内面、１５…ポリフェノール系消臭剤の付与部分、１２Ａ…トイレットロールの周面、１４…エンボス、１４Ａ…エンボス凸部、１６…ラミネート糊、Ｌ１…ロールペーパーの幅、Ｌ２…ロールペーパーの直径、Ｌ３…紙管内径。
【図１】
2014198093.tif 000003
【図２】
2014198093.tif 000004
【図３】
2014198093.tif 000005
【図４】
2014198093.tif 000006
【図５】
2014198093.tif 000007
【図６】
2014198093.tif 000008
【図７】
2014198093.tif 000009
【図８】
2014198093.tif 000010